(57)【要約】【課題】容器内の液が少なくなった場合にも導水管に空気が混入せず、またポンプディスペンサを容器から取り外した場合にも、導水管からの逆流落下を防ぐことが可能なポンプディスペンサを提供すること。【解決手段】導水管３を介して容器内の液を吸い上げ、ノズルから噴射させるポンプディスペンサＢに対して取り付けられるアダプタＡであって、導水管３に取り付け可能で上方が開口した筒状部１と該筒状部１の底を形成する底壁部１１とよりなり、該底壁部１１には出口孔２を備え、導水管の内径ＴＲより出口孔の径ＥＲが小さく形成されているアダプタＡ。【選択図】図５
2020040038.tif 000002
【特許請求の範囲】
【請求項１】
導水管を介して容器内の液を吸い上げ、ノズルから噴射させるポンプディスペンサに対して取り付けられるアダプタであって、導水管に取り付け可能で上方が開口した筒状部と該筒状部の底を形成する底壁部とよりなり、該底壁部には出口孔を備え、前記導水管の内径より前記出口孔の径が小さく形成されていることを特徴とするアダプタ。
【請求項２】
前記筒状部の内径は、入口側に向かって徐々に拡径していることを特徴とする請求項１記載のアダプタ。
【請求項３】
前記底壁部が肉厚となっており、下面が斜めに形成されていることを特徴とする請求項１記載のアダプタ。
【請求項４】
前記出口孔の径ＥＲと前記導水管の内径ＴＲの比が０．３≦ＥＲ／ＴＲ≦０．７であることを特徴とする請求項１〜３いずれか１項に記載のアダプタ。
【請求項５】
前記導水管の下端部に前記筒状部が圧入により取り付けられていることを特徴とする請求項１〜４いずれか１項に記載のアダプタ。
【請求項６】
前記筒状部が前記導水管より剛性が高いことを特徴とする請求項１〜５いずれか１項に記載のアダプタ。
【請求項７】
請求項１〜６いずれか１項に記載のアダプタを取り付けたことを特徴とするポンプディスペンサ。
【発明の詳細な説明】
【技術分野】
【０００１】
本発明は、ポンプディスペンサ用導水管アダプタに関し、更に詳しくは、液の逆流落下を防ぎ、また空気の混入を防ぐことができるポンプディスペンサ用導水管アダプタに関する。
【背景技術】
【０００２】
種々の液の散布を行うために、ポンプディスペンサが用いられている。
これは、トリガーの操作によりピストンで容器内の液に圧を加え、導水管を通じてシリンダ内に引き込み、ノズルを介して外部に散布するものである（例えば、特許文献１、２参照）。
容器内の液が少なくなり、ピストンへ液を引き込むことができなくなった際には、一旦、容器からディスペンサを取り外し、容器に液を補充する、或いは液が充填された容器を交換することにより、再度利用することができるようになっている。
【先行技術文献】
【特許文献】
【０００３】
【特許文献１】特開２０１７−１３００８号公報
【特許文献２】特開２０１７−９３７号公報
【発明の概要】
【発明が解決しようとする課題】
【０００４】
ところで、ポンプディスペンサにおいては、導水菅の下端が液中にあることで液を吸い上げるものである。
この場合、導水管の下端が液中にあっても、液面がその下端に近い状態であると、負圧により導水管周辺の水位が下がって導水管の下端が露出し空気と相通じる現象が生じる。
そのため、導水管内に空気が混入してしまって、結果的に、ノズルからの均一な液の散布が妨げられる（空気混入問題）。
【０００５】
通常、導水管の下端が容器の底面に極力近く配置されているため、このような現象は、液が少なくなって、水位が底面近くになった状態で発生し易い。
一方、容器内の液が少なくなったり、或いは無くなったりした場合には、容器からポンプディスペンサを一旦、取り外し、液を容器に補充する或いは容器を交換する操作が行われる。
【０００６】
このような場合に、取り外したポンプディスペンサの導水管に残存している液が、導水管の下端から逆流落下し、周囲を汚染することがある（逆流落下問題）。
そしてその後使用する場合に、更なる問題が生じる。
すなわち、導水管内の液が逆流落下により流出すると、その分、導水管内に空気が入り込み、このポンプディスペンサを容器に取り付けて再度使用する際には、数回空打ちして導水管内の空気を抜かなければ液を散布することができない。
【０００７】
本発明は、上述の問題点を解決するために開発されたものである。
すなわち、本発明は容器内の液が少なくなった場合にも導水管に空気が混入せず、またポンプディスペンサを容器から取り外した場合にも、導水管からの逆流落下を防ぐことが可能なポンプディスペンサを提供することを目的とする。
【課題を解決するための手段】
【０００８】
本発明者は、上記課題を解決するため鋭意検討したところ、導水管の下端に導水管の内径よりも小さい径の出口孔を有するアダプタを取り付けることにより、液が少なくなった場合にも導水管からの空気の混入がなくなり、また容器からポンプディスペンサを取り外した場合にも、導水管の下端の液面に液を保持できるだけの表面張力を働かせて導水管内に液を留め、その液の落下を防げることを見出した、この知見によって、本発明を完成するに至った。
【０００９】
本発明は、（１）、導水管３を介して容器内の液を吸い上げ、ノズル５から噴射させるポンプディスペンサＢに対して取り付けられるアダプタＡであって、導水管３に取り付け可能で上方が開口した筒状部１と該筒状部１の底を形成する底壁部１１とよりなり、該底壁部１には出口孔を備え、導水管の内径ＴＲより出口孔の径ＥＦが小さく形成されていることを特徴とするアダプタＡに存する。
【００１０】
本発明は、（２）、筒状部１の内径は、入口側に向かって徐々に拡径している上記（１）記載のアダプタＡに存する。
【００１１】
本発明は、（３）、底壁部１１が肉厚となっており、下面が斜めに形成されている上記（１）記載のアダプタＡに存する。
【００１２】
本発明は、（４）、出口孔の径ＥＲと導水管の内径ＴＲの比が０．３≦ＥＲ／ＴＲ≦０．７である上記（１）〜（３）のいずれか１つに記載のアダプタＢに存する。
【００１３】
本発明は、（５）、導水管３の下端に筒状部１が圧入により取り付けられている上記（１）〜（４）のいずれか１つに記載のアダプタＡに存する。
【００１４】
本発明は、（６）、筒状部１が導水管３より剛性が高いことを特徴とする（１）〜（５）のいずれか１つに記載のアダプタＡに存する。
【００１５】
本発明は、（７）、上記（１）〜（６）のいずれか１つに記載のアダプタＡを取り付けたポンプディスペンサＢに存する。
【発明の効果】
【００１６】
本発明は、導水管を介して容器内の液を吸い上げ、ノズルから噴射させるポンプディスペンサに対して取り付けられるアダプタであって、導水管に取り付け可能な筒状部と底壁部とよりなり、底壁部には出口孔を備え、導水管の内径より出口孔の径が小さく形成されているので、液が少なくなった場合にも、導水管内への空気の混入を効果的に防止することができ、これにより、ノズルからの均一な液の散布が可能となる。
また容器からディスペンサを取り外した場合には、アダプタを備えない導水管の液の表面張力より、アダプタの出口孔の液の表面張力が液を保持するのに十分な程度に発揮される。
その結果、導水管内の液が逆流落下するようなことがなく、周囲を汚さない。
【００１７】
本発明は、筒状部の内径は、開口側に向かって徐々に拡径していることにより導水管を筒状部に位置決めし易く、アダプタを取り付けるのが容易となる。
【００１８】
本発明は、底壁部が肉厚となっており、下面が斜めに形成されていることにより、下方が曲げられたポンプディスペンサの導水管の場合、容器内の液の水位が極力、低くなるまで、導水管内に液を吸い上げることが可能となり、効率的に液を使い切ることができる。
【００１９】
本発明は、出口孔の径ＥＲと導水管の内径ＴＲの比が０．３≦ＥＲ／ＴＲ≦０．７であることにより、導水管内への空気の混入を十分防止でき、且つ有効となる表面張力を十分担保することができる。
【００２０】
本発明は、導水管の下端に筒状部が圧入により取り付けられていることにより導水管にアダプタを取り付けて固定するのが容易となる。
【００２１】
本発明は、筒状体が、導水管より剛性が高いことにより、導水管にアダプタを取り付け易い。
また、剛性が高いアダプタにより、導水管の下端の形状が崩れず維持される。
【００２２】
本発明は、アダプタを取り付けたポンプディスペンサであることにより、上述の各効果を得ることができる。
【図面の簡単な説明】
【００２３】
【図１】図１は、ポンプディスペンサに取り付けられるアダプタを示し、図１（Ａ）は縦断面図、図１（Ｂ）は斜視図である。
【図２】図２は、容器に取り付けたポンプディスペンサを示す縦断面図である。
【図３】図３は、図２のポンプディスペンサの導水管にアダプタを取り付けたポンプディスペンサを示す縦断面図である。
【図４】図４は、容器底面近くまで容器内の水位が下がった状態において導水管内に液が引き込まれる原理を説明する図であり、図４（Ａ）は導水管にアダプタを取り付けた場合、図４（Ｂ）は導水管にアダプタを取り付けていない場合を示す。
【図５】図５は、ポンプディスペンサを容器から取り外した状態を示す縦断面図である。図５（Ａ）は導水管にアダプタＡを取り付けた場合、図５（Ｂ）は導水管にアダプタＡを取り付けていない場合を示す。
【図６】図６は、第２の実施形態に係るアダプタを示し、図６（Ａ）は縦断面図、図６（Ｂ）は平面図である。
【図７】図７は、途中で屈曲したポンプディスペンサの導水管に第２の実施形態のアダプタを取り付けたポンプディスペンサを示す縦断面図である。
【図８】図８は、図７の屈曲した導水管にアダプタを取り付けていないポンプディスペンサを示す縦断面図である。
【発明を実施するための形態】
【００２４】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２５】
以下、第１の実施形態について述べる。
本発明は、導水管を介して容器内の液を吸い上げ、ノズルから噴射させるポンプディスペンサに対して取り付けられるアダプタである。
【００２６】
図１は、ポンプディスペンサに取り付けられるアダプタＡを示し、図１（Ａ）は縦断面図、図１（Ｂ）は斜視図である。
アダプタＡは、ポンプディスペンサＢの導水管３の下端に取り付け可能であり、外方から圧入することにより容易に固定できる。
このアダプタＡは、筒状部１と底壁部１１とよりなる。
詳しくは、円筒状の筒状部１は、上方が開口されており、その筒状部１の底は底壁部１１が形成されている。
そして、底壁部１１の中央には貫通した出口孔２が備わっており、底壁部１１の厚みは側壁と同じように肉薄である。
【００２７】
筒状部の上端には、鍔部１Ａが形成されているが、これは、導水管３にアダプタＡを圧入する場合に、摘まむ場合の指掛となる部分である。
また、筒状部１の内径は、導水管３に外挿し易いように、開口側に向かって拡径している。
アダプタＡの底壁部１１の出口孔２の径は、導水管３の内径より小さく形成されている。
ここでアダプタＡの出口孔２の径ＥＲとポンプディスペンサＢの導水管３の内径ＴＲとの関係が、空気の混入の観点や表面張力の観点から、０．３≦ＥＲ／ＴＲ≦０．７を満たすように設定されることが好ましい。
例えば、導水管３の内径ＴＲが９ｍｍでアダプタの出口孔２の径ＥＲが６ｍｍ、導水管３の内径ＴＲが１２ｍｍでアダプタの出口孔２の径ＥＲは５ｍｍ等が採用される。
【００２８】
ここで先述した「空気混入問題」についていうと、このように底壁部１１の出口孔２の径ＥＲが導水管３の内径ＴＲより小さく形成されていることで、導水管３の下端が液中にあり、液面が下端に近い状態でも、導水管３に引き込まれる液Ｗの流速が下がることにより、導水管３周辺の水位の低下を極力抑え、導水管内への空気Ｘの混入を効果的に防止することができる（空気混入防止）。
勿論、容器内の液が少なくなり水位が容器底面近くまで下がった状態でも同様に空気Ｘの混入を防止することができる。
このように空気混入問題は解消されることとなる。
【００２９】
また、先述した「逆流落下問題」についていうと、底壁部１１の出口孔２の径ＥＲが導水管３の内径ＴＲより小さく形成されていることで、容器４からポンプディスペンサＢを取り外した際に、アダプタＡの出口孔２の液面が導水管３の内径ＴＲよりも小径となり、表面張力が液Ｗにかかる重力よりも大きくなり、導水管３に液Ｗを保持することができる。
その結果、導水管内に充填された状態を維持でき、導水管内の液Ｗが逆流落下することが防止され（逆流落下防止）、周囲も汚さない。
そして液Ｗが逆流落下しないため、導水管３に空気が入り込むことはなく、再度、容器４に液を補充して使用する際に、わざわざ空打ちをして導水管内の空気を抜く必要がない。
このように逆流落下問題は解消されることとなる。
これらにより、ポンプディスペンサＢとしての使い勝手が大きく向上する。
【００３０】
図２は、容器４に取り付けたポンプディスペンサＢを示す断面図である。
ポンプディスペンサＢは、操作するためのトリガー、トリガーに連動するピストン、ピストンを備えたシリンダ、液Ｗを貯蓄するための容器４、容器４に下端が差し込まれた導水管３、液Ｗを外部へ散布するノズル５、導水管３とシリンダの間の流路を開閉するＦバルブ、シリンダとノズル５の間の流路を開閉するＳバルブ等を備える。
【００３１】
図３は、図２のポンプディスペンサＢの導水管３にアダプタＡを取り付けたポンプディスペンサＢを示す縦断面図である。
アダプタＡを導水管３の下端に取り付ける場合は、アダプタＡの底壁部１１を導水管３の下端に当接するまで押し込むことにより、アダプタＡは常に一定位置で取り付けられることとなる。
【００３２】
先述したように、アダプタＡを導水管３に対して取り付けて固定するには、圧入が好ましく用いられ、これにより、組み付けが容易に行える。
ここでアダプタＡの素材としては、導水管３より剛性が高い素材を用いることが好ましい。
例えば、導水管３にポリエチレン、またアダプタＡにポリプロピレンが使用される。
【００３３】
導水管３がアダプタＡに外挿により取り付けられているので、導水管３の下端が保護され形状の型崩れが生じない。
特にアダプタＡの筒状部１が導水管３より剛性が高い場合はより効果が顕著となる。
因みに、従来、導水管３の露出した下端は、長期間使用すると変形したり潰れて通路が狭くなったりする欠点があった。
【００３４】
図４は、容器底面近くまで容器内の水位が下がった状態において導水管内に液Ｗが引き込まれる原理を説明する図である。
図４（Ａ）は導水管３にアダプタＡを取り付けた場合、図４（Ｂ）は導水管３にアダプタＡを取り付けていない場合を示す。
【００３５】
ポンプディスペンサＢのトリガーを引き込む操作を行うと、ピストンが移動してシリンダ内が負圧となり、Ｆバルブが開く。
この負圧によって、導水管内へと容器４の液Ｗが引き込まれる。
この場合、導水管３の下端と液面が近いと、図４（Ｂ）に示すように導水管３に吸い込まれるようとする液Ｗによって、導水管３周辺の水位が下がって導水管の下端が空気中に露出し、導水管内に空気Ｘが混入してしまう。
【００３６】
しかし、アダプタＡをポンプディスペンサＢの導水管３に取り付けている場合、アダプタＡの出口孔２の径ＥＲは導水管３の内径ＴＲよりも小さいため抵抗がより大きくなり、導水管内に吸い込まれる液Ｗの流速が下がる。
したがって、導水管３周辺の水位の低下が抑えられ、空気Ｘの混入を防止することができる。
【００３７】
図５は、ディスペンサを容器４から取り外した状態を示す縦断面図である。
図５（Ａ）は導水管３にアダプタＡを取り付けた場合、図５（Ｂ）は導水管３にアダプタＡを取り付けていない場合を示す。
容器４内の液Ｗが少なくなり、液Ｗの補充或いは容器４の交換が必要な場合、ポンプディスペンサＢを、一旦、容器４から取り外す。
この状態では、導水管内にはポンプディスペンサＢの使用時に吸い上げられた液Ｗが残存している。
【００３８】
しかし、図５（Ｂ）のようにアダプタを取り付けてない場合は、導水管３の端部の内径ＴＲが大きいので液Ｗの重量に比して表面張力が弱く、液Ｗが逆流落下して導水管３から失われる。
その結果、その失われた部分に空気Ｘが入り込む。
そのため、前述したように、ポンプディスペンサＢを容器に取り付けた場合には、使用する際、導水管内の空気Ｘを抜くための空打ちが必要となり、使い勝手が悪い。
【００３９】
詳しくは、ポンプディスペンサＢを容器４から取り外した際には、必然的に導水管３の下端が空気に触れる。
この場合、導水管内の液Ｗには表面張力が働いているが、この表面張力が液Ｗにかかる重力より小さいと液Ｗが逆流落下する等の上述の問題が生じてしまうこととなる。
【００４０】
一方、図５（Ａ）のように、アダプタＡをポンプディスペンサＢの導水管３に取り付けている場合、アダプタＡの出口孔２の径は、導水管３の内径ＴＲより小さいので、アダプタＡを導水管３に取り付けていない場合と比べて、表面張力が液Ｗにかかる重力よりも大きくなり、導水管３の下端の液面に液Ｗを保持することができる。
【００４１】
このため、導水管３の下端が空気中に露出した場合であっても、極力、液Ｗの逆流落下を防ぐことが可能となる。
これにより、次にポンプディスペンサＢを使用する際にも空気Ｘを抜くための空打ち操作が不要となり、使い勝手が向上するのである。
当然、液Ｗが落下し、周囲を汚損することがなくなる。
【００４２】
次に第２の実施形態について述べる。
図６は、第２の実施形態に係るアダプタＡを示し、図６（Ａ）は縦断面図、図６（Ｂ）は平面図である。
この第２の実施形態に係るアダプタＡは、第１の実施形態と同じように、ポンプディスペンサＢの導水管３の下端に取り付けられるものである。
そして、このアダプタＡは、導水管３の下端に圧入することにより容易に取り付けできる。
【００４３】
このアダプタＡは、上方が開口した筒状部１と該筒状部の底を形成する底壁部１１とよりなり、該底壁部には出口孔２を備えている。
そして導水管３の内径ＴＲより底壁部１１の出口孔２の径ＥＲが小さく形成されている。
この第２の実施形態でも、筒状部１の内径は、入口側に向かって徐々に拡径しており、導水管３にアダプタＡを取り付け易くなっている。
【００４４】
第１の実施形態と異なるのは、第１の実施形態の底壁部１１が筒状体１の側壁の厚みとほぼ同じような肉薄であるのに対して、本実施形態の底壁部１１は筒状体１の側壁の厚みよりかなり大きく肉厚となっていることである。
更に、本実施形態では底壁部１１の下面が斜めに切り落とされた如く傾斜面１２に形成されている。
【００４５】
この第２の実施形態のアダプタＡは、容器内において途中で屈曲した状態の導水管３に取り付けられる場合に大きなメリットがある。
因みに、ポンプディスペンサＢを斜め下に向けて使用する時が多い場合では、このように屈曲した導水管３がしばしば使われる。
【００４６】
アダプタＡが取り付けられることにより、容器底面近くまで容器内の水位が下がった状態においても、導水管内への空気Ｘの混入を阻止することができる（空気混入防止）。
また、アダプタＡを取り付けない場合と比べて、ポンプディスペンサＢを容器４から取り外した場合にも出口孔２での液Ｗの表面張力が液Ｗを保持するのに十分な程度に発揮されるので、導水管内からの液Ｗの逆流落下を防ぐことができる（逆流落下防止）。
【００４７】
図７は、途中で屈曲した導水管３に第２の実施形態のアダプタＡを取り付けたポンプディスペンサＢを示す縦断面図である。
導水管３の下端には、第２の実施形態に係るアダプタＡが取り付けられている。
導水管３の下端に取り付けられているアダプタＡは傾斜面１２が真下を向いている。
すなわち、出口孔２が真下を向いた状態となっている。
これにより、容器４内の液Ｗ面が容器底面に近く低下したような場合にも、アダプタＡの傾斜面１２は液面と平行となり、液を最大限に使い切ることができる（液使い切り効果）。
【００４８】
参考までに、図８は、図７の屈曲した導水管３にアダプタＡを取り付けていないポンプディスペンサＢを示す縦断面図である。
この場合は、水位が底面に近い位置（すなわち水位Ｈ）まで低下した状態では、導水管３の下端の一部が空気中に露出し、その結果、導水管内に液Ｗではなく空気Ｘを吸い込んでしまう。
そのため、容器内の水位Ｈ以下にある液を使い切ることができないのである。
【００４９】
尚、この第２の実施形態でも、筒状部１の内径は、入口側に向かって徐々に拡径しており、導水管３にアダプタＡを取り付け易くなっている。
【００５０】
本発明のアダプタＡは、既存のポンプディスペンサＢに単に取り付けるだけで、上述した効果を十分得ることができ汎用的に使用できるものである。
【００５１】
以上、本発明の好適な実施形態について説明したが、本発明は上記実施形態に限定されるものではない。
【００５２】
筒状体１の上端に形成された鍔部１Ａの形状は摘まみ易い形であればよく、また必ずしも必要とするものではない。
【００５３】
アダプタＡは導水管３と一体的に形成することも可能であるが、その場合、材質を区分けして２色成型により製造することが可能である。
【産業上の利用可能性】
【００５４】
本発明は、導水管に取り付けることにより、空気混入や逆流落下を防止することができるもので、家庭用、業務用の各種ポンプディスペンサにおいて広く利用可能である。
【符号の説明】
【００５５】
Ａ・・・アダプタ
Ｂ・・・ポンプディスペンサ
１・・・筒状部
１Ａ・・・鍔部
１１・・・底壁部
１２・・・傾斜面
２・・・出口孔
３・・・導水管
４・・・容器
５・・・ノズル
ＥＲ・・・出口孔の径
ＴＲ・・・導水管の内径
Ｗ・・・液
Ｘ・・・空気
【図１】
2020040038.tif 000003
【図２】
2020040038.tif 000004
【図３】
2020040038.tif 000005
【図４】
2020040038.tif 000006
【図５】
2020040038.tif 000007
【図６】
2020040038.tif 000008
【図７】
2020040038.tif 000009
【図８】
2020040038.tif 000010